(57)【特許請求の範囲】
【請求項１】
前後端縁と上下端縁とをそれぞれ内側に折曲して第１折曲部及び第２折曲部を形成することにより、全周にわたる折曲部を設けた側板と、前後の対向する端縁を折曲した天板または底板とを備え、側板と天板または底板との間を、第１折曲部の端部と第２折曲部の端部とが接するコーナー部に設けたスリットを通して上下方向から挿入される挿入片と、天板または底板の内面に固着される補強片とを備えた接合金具によって接合した電子電気機器収納用箱であって、この接合金具は天板または底板と垂直平面内でＬ字形状を描く本体部及び挿入片と、該本体部から直角に屈曲された水平な補強片とを備え、該補強片には吊りボルトやキャスタの接合部を設けたものであることを特徴とする電子電気機器収納用箱。
【発明の詳細な説明】
【技術分野】
【０００１】
本発明は、フレーム構造を持たず側板、天板、底板などの板材どうしを接合して構成される電子電気機器収納用箱に関するものである。
【背景技術】
【０００２】
電子電気機器収納用箱は、１２本のフレームにより直方体状の骨格を形成しその外面に側板、天板、底板などを取り付けたフレーム構造を持つもの（例えば、特許文献１参照）と、フレーム構造を持たず板材どうしをねじ等によって接合して箱を構成したもの（例えば、特許文献２参照）の２種類に大別される。このうちフレーム構造の電子電気機器収納用箱は、構造上外力に対する強度が高い反面、フレーム分のコストがかかるという問題がある。
【０００３】
このためコストが重視される電子電気機器収納用箱には、フレーム構造を持たず板材どうしを接合したタイプが選択される。しかしこのタイプの電子電気機器収納用箱は板材の端部どうしをねじやスポット溶接等によって接合しただけであるから強度が不足し勝ちであるうえ、天板と側板との位置を合わせたうえで接合作業を行うため、位置合わせに時間がかかり、組み立ての作業性が悪いという問題があった。
【特許文献１】特開２００３-３２４２９３号公報
【特許文献２】特開２００３-３１８５６０号公報
【発明の開示】
【発明が解決しようとする課題】
【０００４】
従って本発明の目的は、低コストでありながら、強度を確保でき、組み立て作業が容易な電子電気機器収納用箱を提供することである。
【課題を解決するための手段】
【０００５】
上記の課題を解決するためになされた本発明は、前後端縁と上下端縁とをそれぞれ内側に折曲して第１折曲部及び第２折曲部を形成することにより、全周にわたる折曲部を設けた側板と、前後の対向する端縁を折曲した天板または底板とを備え、側板と天板または底板との間を、第１折曲部の端部と第２折曲部の端部とが接するコーナー部に設けたスリットを通して上下方向から挿入される挿入片と、天板または底板の内面に固着される補強片とを備えた接合金具によって接合した電子電気機器収納用箱であって、この接合金具は天板または底板と垂直平面内でＬ字形状を描く本体部及び挿入片と、該本体部から直角に屈曲された水平な補強片とを備え、該補強片には吊りボルトやキャスタの接合部を設けたものであることを特徴とするものである。
【０００６】
【発明の効果】
【０００７】
本発明の電子電気機器収納用箱は、全周にわたる折曲部を設けた側板と、前後または左右の対向する端縁を折曲した天板または底板との間を、第１折曲部の端部と第２折曲部側板の端部とが接するコーナー部に設けたスリットを通して上下方向から挿入される挿入片と、天板または底板の内面に固着される補強片とを備えた接合金具によって接合したものであるから、強度を向上させることができるうえに、接合金具の挿入片を補強フレームのスリットに嵌合させることにより組み立てることができるので、天板または底板を取付けるときの側板との位置合わせが容易であり、組み立て作業性がよい。しかもフレームがないため低コストでかつ軽量化できるという利点がある。
【発明を実施するための最良の形態】
【０００８】
次に、本発明の好ましい実施形態を図面に基づいて詳細に説明する。
図１と図２は本発明の電子電気機器収納用箱の全体斜視図、図３は分解斜視図、図４は要部拡大図、図５は接合金具の斜視図、図６は要部の断面図である。
【０００９】
図１、図２に示されるように、本発明の電子電気機器収納用箱は左右の側板１と天板２と底板３と背面板４と扉５とからなるもので、フレームを用いず、側板１の上下に天板２と底板３とを接合金具６によって接合した構造である。各部材は金属製であり、通常は鋼板製である。
【００１０】
図３、図４に示されるように、側板１は前後端縁と上下端縁とをそれぞれ内側に略コ字状に折曲し、垂直方向に延びる第１折曲部１１と水平方向に延びる第２折曲部１２を形成したものである。これらの略コ字状に折曲された内側部分には、全周にわたる折曲部としての溝部１３が形成されることとなる。なお第１折曲部１１と第２折曲部１２とが重なる部分では、第１折曲部１１を切り欠いてある。
【００１１】
第１折曲部１１には図１に示すようにＬ型レール１４等を装着可能な取付孔１５が一定間隔で形成されている。また第２折曲部１２には図２に示すようにレール部材１６等を装着可能な取付孔１７が適宜の間隔で形成されている。また第１折曲部１１の端部と第２折曲部１２の端部とが接する４つのコーナー部には、後述する接合金具６を装入するためのスリット１８が形成されている。このスリット１８は水平部と垂直部とがＬ字状に繋がった形状となっている。
【００１２】
天板２と底板３は、前後端縁を垂直に折曲げた第３折曲部１９を備えたものである。この第３折曲部１９の左右両端は図５に示されるように、接合金具６の幅に合わせて切り欠かれている。
【００１３】
接合金具６は、図５に示すように本体部２０と挿入片２１と補強片２２とからなる。本体部２０と挿入片２１とは垂直部分であり、Ｌ字形状となっている。補強片２２は本体部２０から直角に屈曲された水平部分である。挿入片２１の幅は上記したスリット１８の水平部から溝部１３内に挿入できるように、設計しておく。また本体部２０には第３折曲部１９へねじ止めするための孔２３が形成され、挿入片２１には第１折曲部１１へねじ止めするための孔２４が形成され、補強片２２には天板２または底板３へねじ止めするための孔２５が形成されている。以下にこの接合金具６を用いて側板１と天板２とを接合する方法を説明するが、側板１と底板３の接合も同様である。
【００１４】
先ず図４、図５に示すように、接合金具６の垂直な本体部２０を天板２の第３折曲部１９の内面に接し、水平な補強片２２が天板２の裏面に接するように、ねじによって天板２に固定する。挿入片２１は第３折曲部１９よりも下方に突出している。
【００１５】
次にこの挿入片２１を側板１の前記したスリット１８の水平部から溝部１３内に挿入する。すなわち、天板２の四隅から突出させた挿入片２１をそれぞれスリット１８に挿入することにより、側板１と天板２との位置合わせを容易に行うことができるものである。この状態で挿入片２１を側板１の第１折曲部１１に固定すれば、側板１と天板２は接合金具６によって接合される。なお図６に示すように、天板２の端部を板厚分だけ突出させておけば、側板１の端部との間に段差が生じず、外観がよくなる。
【００１６】
接合金具６と側板１、天板２間の接合はねじ止めにより行う。この操作を上面の四隅と下面の四隅について行えば、側板１の上下に天板２と底板３が接合された直方体が形成されるので、背面を平板状の背面板４により閉塞し、前面に扉５を取り付ければキャビネットが完成する。補強片２２が天板２に接合されているため強度が向上し、この補強片２２には吊りボルトの接合部３０を設けたり、キャスタ取付部３１を設けることもできる。
【００１７】
このように、天板、底板、側板と接合金具との接合を全てねじ止めで行うことにより、設置現場にて容易に組立てることができるという利点を有する。また上記した実施形態では、天板、底板、側板と接合金具との接合手段を全てねじ止めとしたが、設置現場で組立てる必要がない場合には、接合手段をスポット溶接としてもよい。この場合においても、工場で組立て作業を行うときに、側板と天板との位置合わせを容易に行うことができ、作業性がよいものである。
【００１８】
さらに、扉５は図２に示されるように中央部を透明なアクリル板３２とし、端部には放熱用のスリット３３が形成されている。また端部の内側には補強部材３４が設けられているが、スリット３３と重なる位置には穴３５を設けてある。このほか、図１に示すように背面板４にも放熱用のスリット３６を設けてある。
【００１９】
以上に説明したように、本発明の電子電気機器収納用箱は、フレームがなく低コストでありながら、特殊な接合金具６と各折曲部を組みあわせたことによって十分な強度を確保でき、しかも設置現場での組み立て作業も容易に行えるなどの多くの利点を有するものである。
【図面の簡単な説明】
【００２０】
【図１】本発明の電子電気機器収納用箱の全体斜視図である。
【図２】扉を取り付けた電子電気機器収納用箱の全体斜視図である。
【図３】本発明の電子電気機器収納用箱の分解斜視図である。
【図４】要部拡大図である。
【図５】接合金具を分離して示す要部斜視図である。
【図６】要部の断面図である。（切断面は、挿入片の中央部を通り側板に平行な平面である。）
【符号の説明】
【００２１】
１  側板
２  天板
３  底板
４  背面板
５  扉
６  接合金具
１１  第１折曲部
１２  第２折曲部
１３  溝部
１４  Ｌ型レール
１５  取付孔
１６  レール部材
１７  取付孔
１８  スリット
１９  第３折曲部
２０  本体部
２１  挿入片
２２  補強片
２３  孔
２４  孔
２５  孔
３０  吊りボルトの接合部
３１  キャスタ取付部
３２  アクリル板
３３  スリット
３４  補強部材
３５  穴
３６  スリット
【図１】
0004953963.tif 000002
【図２】
0004953963.tif 000003
【図３】
0004953963.tif 000004
【図４】
0004953963.tif 000005
【図５】
0004953963.tif 000006
【図６】
0004953963.tif 000007